(57)【要約】【課題】本発明は、エンジンと自動変速機とを備えた車両のパワートレインシステムであって、エンジンの排気経路上に触媒装置が配設されている場合において、非走行レンジから走行レンジへの切換後もアイドルアップを継続して実行可能とすると共に、再び非走行レンジへ戻した際のショックを防止することを課題とする。【解決手段】アイドル運転時に触媒装置が非活性状態のときは、活性状態のときに比べてアイドル回転数を高くしてアイドルアップを実施し、アイドルアップ中において、運転者による車両に対する制動要求があり、かつ、走行レンジであるときに、変速機構における発進用摩擦要素以外の所定摩擦要素を締結することにより、変速機構をインターロック状態とし、インターロック状態において、自動変速機のレンジが非走行レンジとなるときに、発進用摩擦要素を所定摩擦要素よりも早く解放することを特徴とする。【選択図】図６
2014062581.tif 000002
【特許請求の範囲】
【請求項１】
エンジンと、複数の摩擦要素を含む変速機構及び該変速機構にエンジン出力を伝達する流体伝動装置を有する自動変速機と、を備えた車両のパワートレインシステムの制御方法であって、前記エンジンの排気経路上に触媒装置が配設されている場合に、
前記エンジンのアイドル運転時に、前記触媒装置が非活性状態にあるときは、活性状態にあるときに比べてエンジン回転数を高くするアイドルアップステップと、
前記アイドルアップステップの実施中において、運転者による前記車両に対する制動要求があり、かつ、前記自動変速機のレンジが走行レンジであるときに、前記変速機構における発進用摩擦要素以外の所定摩擦要素を締結することにより、該変速機構をインターロック状態とするインターロックステップと、
前記インターロックステップの実施中において、前記自動変速機のレンジが非走行レンジとなるときに、前記発進用摩擦要素を前記所定摩擦要素よりも早く解放するインターロック解除ステップと、
を実施することを特徴とするパワートレインシステムの制御方法。
【請求項２】
前記インターロックステップでは、前記発進用摩擦要素に供給される油圧を走行レンジでの正規油圧よりも低い所定低減油圧に設定し、
前記インターロック解除ステップでは、前記発進用摩擦要素及び前記所定摩擦要素に供給されている油圧を排出する
ことを特徴とする請求項１に記載のパワートレインシステムの制御方法。
【請求項３】
前記インターロックステップの実施中において、運転者による前記車両に対する制動要求が解除されたときに、前記アイドルアップステップを終了し、かつ、前記発進用摩擦要素に供給される油圧を前記所定低減油圧から前記正規油圧に上昇させると共に、その後の運転者によるアクセルペダルの踏み込みによるエンジン回転数の上昇を、前記発進用摩擦要素に供給されている油圧が前記正規油圧に達するまで抑制する
ことを特徴とする請求項２に記載のパワートレインシステムの制御方法。
【請求項４】
前記自動変速機は、油圧制御回路に備えられたマニュアルバルブの走行レンジから非走行レンジへの操作に伴う作動により、前記発進用摩擦要素と前記所定摩擦要素に供給されている油圧が排出されるように構成されている
ことを特徴とする請求項１から３のいずれか１項に記載のパワートレインシステムの制御方法。
【請求項５】
エンジンと、複数の摩擦要素を含む変速機構及び該変速機構にエンジン出力を伝達する流体伝動装置を有する自動変速機と、を備えた車両のパワートレインシステムであって、前記エンジンの排気経路上に触媒装置が配設されている場合に、
前記エンジンのアイドル運転時に、前記触媒装置が非活性状態にあるときは、活性状態にあるときに比べてエンジン回転数を高くするアイドルアップを実施し、
前記アイドルアップの実施中において、運転者による前記車両に対する制動要求があり、かつ、前記自動変速機のレンジが走行レンジであるときに、前記変速機構における発進用摩擦要素以外の所定摩擦要素を締結することにより、該変速機構をインターロック状態とし、
前記インターロック状態において、前記自動変速機のレンジが非走行レンジとなるときに、前記発進用摩擦要素を前記所定摩擦要素よりも早く解放するコントローラを備えた
ことを特徴とするパワートレインシステム。
【発明の詳細な説明】
【技術分野】
【０００１】
本発明は、自動車等の車両、特にエンジンと変速機構との間に流体伝動装置が配設され、エンジンの排気通路に触媒装置が配設された車両のパワートレインシステムの制御方法及びパワートレインシステムに関し、車両のパワートレインシステムの制御技術の分野に属する。
【背景技術】
【０００２】
自動車等の車両においては、排気ガス中の有害成分を除去するため、エンジンの排気経路に触媒装置が設置されるが、この触媒装置は低温状態では有効に機能せず、エンジンの冷間始動時には速やかに温度を上昇させて活性化させる必要がある。そこで、エンジンの冷間始動時にアイドル回転数を上昇させるアイドルアップ制御を行い、高温の排気ガスを排気経路に排出して、触媒装置の温度を速やかに上昇させる技術が実用化されている。
【０００３】
その場合、このアイドルアップ制御を、トルクコンバータ等の流体伝動装置を有する自動変速機が搭載された車両において、Ｄレンジ等の走行レンジで行うと、アイドル回転数が高いためにクリープ力が増大し、走行開始前に、運転者のブレーキペダルの踏み込みによる制動要求に打ち勝って車両が意に反して発進するおそれがあり、そのため、従来では、冷間始動時におけるアイドルアップによる触媒装置の早期活性化制御は、ＰレンジやＮレンジ等の非走行レンジでのみ行い、運転者が走行レンジへ操作した時点で終了するようにしていた。
【０００４】
一方、近年の排ガス規制の強化に対応するため、触媒装置の活性化時間をさらに短縮することが要請され、そのため、非走行レンジから走行レンジへ移行したときに、クリープ力を抑制することにより、アイドルアップ制御を中断することなく、走行レンジへの移行後も継続して行うことが考えられている。
【０００５】
そして、走行レンジでのクリープ力を抑制する方法として、特許文献１には、走行レンジで締結される所定の摩擦要素をスリップさせて、エンジン出力の駆動輪への伝達を制限する方法（所謂ニュートラルアイドル制御）が開示されている。
【０００６】
この方法は、非走行レンジから走行レンジへの切り換え時に、前記摩擦要素に油圧を供給して該摩擦要素を解放状態からスリップ状態へ移行させるように行なわれるが、特にＡＴＦの粘度が大きい冷間時は油圧を精度良くコントロールできないため、スリップ状態への良好な移行制御が難しく、油圧が高くなりすぎて摩擦要素が完全に締結し、車両が運転者の意に反して発進することも考えられる。
【０００７】
また、クリープ力を抑制する他の方法として、非走行レンジから走行レンジへの移行時に、発進時に締結される摩擦要素に加えて他の所定摩擦要素を締結することにより、自動変速機を所謂インターロック状態に制御することが考えられる。この方法は、前記所定摩擦要素を締結させるだけであるから、油圧のコントロールが比較的容易であり、しかも、自動変速機の出力軸が固定されるため、前記ニュートラルアイドル制御による方法よりも、走行レンジへの移行後にエンジンのアイドルアップを継続しても、意に反して車両が発進することをより確実に防止することができる。
【先行技術文献】
【特許文献】
【０００８】
【特許文献１】特開２００８−２１３５９０号公報
【発明の概要】
【発明が解決しようとする課題】
【０００９】
ところで、前記のように、走行レンジで自動変速機をインターロックしてエンジンのアイドルアップを行う場合、その後、発進することなく非走行レンジに戻された際に、所定摩擦要素に供給されている油圧が発進用摩擦要素に供給されている油圧より先に抜けると、一時的にインターロックが解除されて変速機構が駆動輪へトルクを伝達する状態（１速に似た状態）が生じ、この走行レンジから非走行レンジへの切り換えの瞬間に、乗員に違和感を与えるような前向きのショックが車両に発生するおそれがある。
【００１０】
この問題は、発進用摩擦要素と所定摩擦要素への油圧の供給が、油圧源から油圧制御回路中のマニュアルバルブを介して行われ、走行レンジから非走行レンジへの切換時に、前記マニュアルバルブによって両摩擦要素から油圧が同時に排出される構成の場合に、起きやすくなることが考えられる。
【００１１】
本発明は、エンジンと変速機構との間に流体伝動装置が配設され、エンジンの排気通路に触媒装置が配設された車両のパワートレインシステムにおいて、冷間始動時、触媒装置の活性化促進のため、自動変速機をインターロックすることにより、非走行レンジから走行レンジへの切換後もアイドルアップを継続して実行可能とすると共に、再び非走行レンジへ戻したときのショックを防止することを課題とする。
【００１２】
また、アイドルアップを継続して実行可能とするために自動変速機をインターロックした場合に、その状態からの良好な発進性を確保することを第２の課題とする。
【課題を解決するための手段】
【００１３】
前記課題を解決するため、本発明に係るパワートレインシステムの制御方法及びパワートレインシステムは、次のように構成したことを特徴とする。
【００１４】
まず、本願の請求項１に記載の発明は、
エンジンと、複数の摩擦要素を含む変速機構及び該変速機構にエンジン出力を伝達する流体伝動装置を有する自動変速機と、を備えた車両のパワートレインシステムの制御方法であって、前記エンジンの排気経路上に触媒装置が配設されている場合に、
前記エンジンのアイドル運転時に、前記触媒装置が非活性状態にあるときは、活性状態にあるときに比べてエンジン回転数を高くするアイドルアップステップと、
前記アイドルアップステップの実施中において、運転者による前記車両に対する制動要求があり、かつ、前記自動変速機のレンジが走行レンジであるときに、前記変速機構における発進用摩擦要素以外の所定摩擦要素を締結することにより、該変速機構をインターロック状態とするインターロックステップと、
前記インターロックステップの実施中において、前記自動変速機のレンジが非走行レンジとなるときに、前記発進用摩擦要素を前記所定摩擦要素よりも早く解放するインターロック解除ステップと、
を実施することを特徴とする。
【００１５】
また、本願の請求項２に記載の発明は、前記請求項１に記載の発明において、
前記インターロックステップでは、前記発進用摩擦要素に供給される油圧を走行レンジでの正規油圧よりも低い所定低減油圧に設定し、
前記インターロック解除ステップでは、前記発進用摩擦要素及び前記所定摩擦要素に供給されている油圧を排出する
ことを特徴とする。
【００１６】
なお、前記正規油圧とは、走行時に必要なトルクを摩擦要素が伝達可能な油圧を意味している。
【００１７】
さらに、本願の請求項３に記載の発明は、前記請求項２に記載の発明において、
前記インターロックステップの実施中において、運転者による前記車両に対する制動要求が解除されたときに、前記アイドルアップステップを終了し、かつ、前記発進用摩擦要素に供給される油圧を前記所定低減油圧から前記正規油圧に上昇させると共に、その後の運転者によるアクセルペダルの踏み込みによるエンジン回転数の上昇を、前記発進用摩擦要素に供給されている油圧が前記正規油圧に達するまで抑制する
ことを特徴とする。
【００１８】
さらにまた、本願の請求項４に記載の発明は、前記請求項１から３のいずれか１項に記載の発明において、
前記自動変速機は、油圧制御回路に備えられたマニュアルバルブの走行レンジから非走行レンジへの操作に伴う作動により、前記発進用摩擦要素と前記所定摩擦要素に供給されている油圧が排出されるように構成されている
ことを特徴とする。
【００１９】
さらにまた、本願の請求項５に記載の発明は、
エンジンと、複数の摩擦要素を含む変速機構及び該変速機構にエンジン出力を伝達する流体伝動装置を有する自動変速機と、を備えた車両のパワートレインシステムであって、前記エンジンの排気経路上に触媒装置が配設されている場合に、
前記エンジンのアイドル運転時に、前記触媒装置が非活性状態にあるときは、活性状態にあるときに比べてエンジン回転数を高くするアイドルアップを実施し、
前記アイドルアップの実施中において、運転者による前記車両に対する制動要求があり、かつ、前記自動変速機のレンジが走行レンジであるときに、前記変速機構における発進用摩擦要素以外の所定摩擦要素を締結することにより、該変速機構をインターロック状態とし、
前記インターロック状態において、前記自動変速機のレンジが非走行レンジとなるときに、前記発進用摩擦要素を前記所定摩擦要素よりも早く解放するコントローラを備えた
ことを特徴とする。
【発明の効果】
【００２０】
以上の構成により、本願各請求項に係る発明によれば、次の効果が得られる。
【００２１】
まず、請求項１に係る発明によれば、冷間始動時に、非走行レンジから走行レンジへ切り換えた後もアイドルアップを継続して実施するため、触媒装置の活性化が促進される。さらに、走行レンジへの切換時に、変速機構をインターロック状態にするため、出力軸にトルクが伝達されず、意図しない発進が生じる事態が回避できる。
【００２２】
また、走行レンジから非走行レンジへ戻した際に、変速機構をインターロック状態とするために締結されていた所定摩擦要素よりも、発進用摩擦要素が先に解放されるため、一時的に変速機構が１速状態になると車両に生じてしまう前向きのショックを防止することができる。
【００２３】
さらに、請求項２に係る発明によれば、発進用摩擦要素に供給される油圧が走行レンジでの正規油圧よりも低いので、発進用摩擦要素及び所定摩擦要素に供給される油圧が同時に排出開始した場合でも、所定摩擦要素よりも発進用摩擦要素の方が先に解放される。したがって、請求項１の発明による非走行レンジへ戻した際のショック防止の効果が、発進用摩擦要素の簡素な油圧制御によって確実に達成される。
【００２４】
また、請求項２に係る発明では、発進用摩擦要素に供給される油圧が走行レンジでの正規油圧よりも低いため、エンジン出力トルクが増大したときに発進用摩擦要素でスリップが発生するおそれがあるという新たな課題が生じる。
【００２５】
そこで、請求項３に係る発明によれば、運転者によるアクセルペダルの踏み込みによるエンジン回転数の上昇を、前記発進用摩擦要素に供給されている油圧が前記正規油圧に達するまで抑制するため、発進用摩擦要素でのスリップ発生を防止することができ、インターロック後の良好な発進性を確保することができる。
【００２６】
さらに、運転者が走行レンジから非走行レンジへのシフト操作を行うと、このシフト操作に伴って油圧制御回路に備えられたマニュアルバルブが作動し、発進用摩擦要素と所定摩擦要素に供給されている油圧が同時に排出されるように自動変速機が構成されている場合、この自動変速機の油路やアクチュエータの構造等によっては、油圧の排出開始が同時であっても、所定摩擦要素が発進用摩擦要素よりも先に解放され、発進用摩擦要素がトルクを伝達可能な状態、すなわち１速に似た状態が一時的に起こり得る。そのため、乗員に違和感を与えるような前向きのショックが車両に発生する可能性がある。
【００２７】
そこで、請求項４に係る発明によれば、このような構成の場合にも、発進用摩擦要素に供給される油圧が所定摩擦要素よりも早く解放されるため、自動変速機は一時的にも１速に似た状態にはならない。したがって、走行レンジから非走行レンジへ戻した際のショックの発生を防止することができる。
【００２８】
最後に、請求項５に係る発明によれば、請求項１に係る方法の発明と同様の効果をパワートレインシステムにおいて得ることができる。
【図面の簡単な説明】
【００２９】
【図１】本発明の第１の実施形態に係るパワートレインシステムを構成する自動変速機の骨子図である。
【図２】同自動変速機の摩擦要素の締結の組合せと自動変速機の状態との関係を示す表である。
【図３】同自動変速機の油圧制御回路の概略図である。
【図４】同パワートレインシステムの制御ブロック図である。
【図５】同パワートレインシステムの制御動作を示すフローチャートである。
【図６】同パワートレインシステムのインターロック制御時の制御動作を示すフローチャートである。
【図７】同パワートレインシステムのニュートラルアイドル制御時の制御動作を示すフローチャートである。
【図８】同パワートレインシステムを適用した車両におけるＮ→Ｄ（インターロック）→Ｎの操作時の自動変速機等の状態を示すタイムチャートである。
【図９】同パワートレインシステムを適用した車両におけるＮ→Ｄ（インターロック）→発進の操作時の自動変速機等の状態を示すタイムチャートである。
【図１０】本発明の第２の実施形態に係るパワートレインシステムを適用した車両におけるＮ→Ｄ（インターロック）→Ｎの操作時の自動変速機等の状態を示すタイムチャートである。
【図１１】本発明の第３の実施形態に係るパワートレインシステムを適用した車両におけるＮ→Ｄ（インターロック）→Ｎの操作時の自動変速機等の状態を示すタイムチャートである。
【発明を実施するための形態】
【００３０】
以下、本発明に係るパワートレインシステムの制御方法及びパワートレインシステムの実施形態について説明する。
【００３１】
（第１の実施形態）
本発明の第１の実施形態に係る車両のパワートレインシステムは、フロントエンジン・フロントドライブ車に適用されるものであって、横置きされたエンジン（図示せず）と、有段の自動変速機とを有しており、前記エンジンの排気経路上には、排気ガス中の有害成分を除去するための触媒装置（図示せず）が配設されている。
【００３２】
図１は、自動変速機１の構成を示す骨子図であり、この自動変速機１は、主たる構成要素として、エンジン出力軸Ａに取り付けられたトルクコンバータ２と、該トルクコンバータ２を介して前記エンジン出力軸Ａに駆動されるオイルポンプ３と、前記トルクコンバータ２の出力回転が入力軸４を介して入力される変速機構５とを有し、前記オイルポンプ３や変速機構５が入力軸４の軸心上に配置された状態で、変速機ケース６に収納されている。
【００３３】
そして、前記変速機構５の出力回転が、同じく入力軸４の軸心上に配置された出力ギヤ７からカウンタドライブ機構８を介して差動装置９に伝達され、左右の車軸９ａ、９ｂが駆動されるようになっている。
【００３４】
前記トルクコンバータ２は、エンジン出力軸Ａに連結されたケース２ａと、該ケース２ａ内に固設されたポンプ２ｂと、該ポンプ２ｂに対向配置されて該ポンプ２ｂにより作動油を介して駆動されるタービン２ｃと、該ポンプ２ｂとタービン２ｃとの間に介設され、かつ、前記変速機ケース６にワンウェイクラッチ２ｄを介して支持されてトルク増大作用を行うステータ２ｅと、前記ケース２ａとタービン２ｃとの間に設けられ、該ケース２ａを介してエンジン出力軸Ａとタービン２ｃとを直結するロックアップクラッチ２ｆとで構成されている。そして、タービン２ｃの回転が前記入力軸４を介して変速機構５に入力されるようになっている。
【００３５】
一方、変速機構５は、第１、第２、第３プラネタリギヤセット（以下、「第１、第２、第３ギヤセット」という）１０、２０、３０を有し、これらが変速機ケース６内における前記出力ギヤ７の反トルクコンバータ側において、トルクコンバータ側から順に配置されている。
【００３６】
また、変速機構５を構成する摩擦要素として、前記出力ギヤ７のトルクコンバータ側に、第１クラッチ４０（特許請求の範囲の「発進用摩擦要素」）及び第２クラッチ５０が配置されていると共に、出力ギヤ７の反トルクコンバータ側には、第１ブレーキ６０、第２ブレーキ７０（特許請求の範囲の「所定摩擦要素」）及び第３ブレーキ８０がトルクコンバータ側から順に配置されている。
【００３７】
前記第１、第２、第３ギヤセット１０、２０、３０は、いずれもシングルピニオン型のプラネタリギヤセットであって、サンギヤ１１、２１、３１と、これらのサンギヤ１１、２１、３１にそれぞれ噛み合った各複数のピニオン１２、２２、３２と、これらのピニオン１２、２２、３２をそれぞれ支持するキャリヤ１３、２３、３３と、ピニオン１２、２２、３２にそれぞれ噛み合ったリングギヤ１４、２４、３４とで構成されている。
【００３８】
そして、前記入力軸４が第３ギヤセット３０のサンギヤ３１に連結されていると共に、第１ギヤセット１０のサンギヤ１１と第２ギヤセット２０のサンギヤ２１、第１ギヤセット１０のリングギヤ１４と第２ギヤセット２０のキャリヤ２３、第２ギヤセット２０のリングギヤ２４と第３ギヤセット３０のキャリヤ３３が、それぞれ連結されている。そして、第１ギヤセット１０のキャリヤ１３に前記出力ギヤ７が連結されている。
【００３９】
また、第１ギヤセット１０のサンギヤ１１及び第２ギヤセット２０のサンギヤ２１は、前記第１クラッチ４０を介して入力軸４に断接可能に連結されており、第２ギヤセット２０のキャリヤ２３は、前記第２クラッチ５０を介して入力軸４に断接可能に連結されている。
【００４０】
さらに、第１ギヤセット１０のリングギヤ１４及び第２ギヤセット２０のキャリヤ２３は、前記第１ブレーキ６０を介して変速機ケース６に断接可能に連結されており、第２ギヤセット２０のリングギヤ２４及び第３ギヤセット３０のキャリヤ３３は、前記第２ブレーキ７０を介して変速機ケース６に断接可能に連結されており、さらに、第３ギヤセット３０のリングギヤ３４は、前記第３ブレーキ８０を介して変速機ケース６に断接可能に連結されている。
【００４１】
以上の構成により、この変速機構５によれば、図２に示すように、第１、第２クラッチ４０、５０及び第１、第２、第３ブレーキ６０、７０、８０の締結状態の組み合わせにより、Ｐ（駐車）、Ｒ（後退）、Ｎ（中立）、Ｄ(前進）の各レンジと、Ｄレンジでの１〜６速とが達成されるようになっている。なお、図２の空欄部分は、摩擦要素が解放されていることを示し、また、この実施形態では、Ｐ、Ｎレンジで、第１ブレーキ６０が締結されるようになっている。
【００４２】
また、図２には、本実施形態に係る自動変速機１のインターロック制御及びニュートラルアイドル制御を実施した際の摩擦要素の締結の組み合わせについても示している。インターロック制御を実施した際には、１速で締結される第１クラッチ４０と第１ブレーキ６０とに加え、第２ブレーキ７０が締結され、これにより、変速機構５の入力軸４及び出力ギヤ７が固定されるインターロック状態が実現される。一方、ニュートラルアイドル制御を実施した際には、第１ブレーキ６０と第２ブレーキ７０とが締結されると共に、第１クラッチ４０がスリップ状態にされ、これにより、変速機構５の出力ギヤ７が固定されるインターロック状態かつニュートラルアイドル状態が実現される。
【００４３】
前記各摩擦要素４０〜８０の締結制御は油圧によって行われ、自動変速機１には、そのための油圧制御回路９０が備えられており、その概略の構成を図３に示している。
【００４４】
この油圧制御回路９０には、エンジン出力軸Ａによってトルクコンバータ２を介して駆動されるオイルポンプ３（図１参照）から元圧が供給され、この元圧を所定油圧のライン圧に調整するレギュレータバルブ９１と、前記ライン圧を選択されたレンジに応じて該油圧制御回路９０の変速制御部９２における各種ソレノイドバルブ９３…９３に選択的に供給するマニュアルバルブ９４とを備えており、ＤレンジやＲレンジにおいて、前記ソレノイドバルブ９３…９３の作動に応じて、前記各摩擦要素４０〜８０に選択的に油圧が供給されることにより、前述の１〜６速と後退速とが実現される。
【００４５】
また、この油圧制御回路９０の変速制御部９２から第１クラッチ４０へ油圧を供給するライン上には第１クラッチ圧センサ９５が設けられており、このセンサ９５によって第１クラッチ４０に実際に供給されている油圧を検出する。
【００４６】
さらに、図４に示すように、この実施形態に係るパワートレインシステムはコントローラ１００を有し、このコントローラ１００は、運転者によって選択されている自動変速機１のレンジを検出するレンジセンサ１０１からの信号と、当該車両の車速を検出する車速センサ１０２からの信号と、運転者によるアクセルペダルの踏み込み量を検出するアクセルセンサ１０３からの信号とを入力し、これらの信号に基づき、選択されたレンジや当該車両の運転状態に応じた変速段を決定し、その変速段が実現されるように、前記油圧制御回路９０の変速制御部９２における各種ソレノイドバルブ９３…９３に制御信号を出力する。
【００４７】
また、このコントローラ１００は、エンジンの冷間始動時に、触媒装置の活性化促進のためのアイドルアップを行うと共に、このアイドルアップを当該車両の発進前におけるＰレンジからＤレンジへの移行後も行うために変速機構５をインターロック状態とするインターロック制御と、一旦走行後に停車した際に、未だ触媒装置が非活性な場合に、この停車時にもアイドルアップを行うために、第１クラッチ４０をスリップさせて変速機構５をニュートラルアイドル状態とするニュートラルアイドル制御とを行うようになっている。
【００４８】
そして、これらの制御用として、前記各センサ１０１〜１０３からの信号に加えて、運転者によるブレーキペダルの踏み込みの有無を検出するブレーキセンサ１０４からの信号と、触媒装置の温度を検出する触媒温度センサ１０５からの信号と、第１クラッチ圧センサ９５からの信号とが入力され、第１クラッチ４０に供給される油圧が正規油圧に達するまで、すなわち、前記締結完了判定制御によって第１クラッチ４０が締結完了と判定されるまでは、アクセルペダルが踏み込まれた際のアクセルセンサ１０３からの信号に応じてエンジン回転数が上昇するのを禁止するように、エンジン回転数制御装置１１０へ制御信号を出力する。
【００４９】
次に、コントローラ１００による、前記インターロック制御等を含むエンジンのアイドルアップ制御の具体的動作を、図５のフローチャートに従って説明する。なお、以下の動作は、本発明に係るパワートレインシステムの制御方法に係る第１の実施形態を構成する。
【００５０】
コントローラ１００は、自動変速機１のレンジがＰレンジの状態でエンジンのイグニッションスイッチがＯＮされたときに制御動作を開始する。まず、ステップＳ１で、図４に示す各センサ１０１〜１０５及び第１クラッチ圧センサ９５からの信号を入力し、次いで、ステップＳ２で、Ｐレンジで締結される第１ブレーキ６０を締結するように油圧制御回路９０に制御信号を出力する。
【００５１】
次に、ステップＳ３で、車速センサ１０２の信号から車両が停車している（車速が０ｋｍ／ｈ）か否かを判定する。そして、車両が停車していると判定したときには、ステップＳ４で、エンジンのアイドル回転数を上昇させるアイドルアップ要求があるか否かを判定する。
【００５２】
ここで、このアイドルアップ要求は、この実施形態では、触媒温度センサ１０５からの信号が示す触媒装置の温度が該触媒装置の活性化温度まで上昇していないときに、早期に活性化させる必要上、アイドルアップ要求があると判断する。なお、触媒装置の温度はエンジン始動後の経過時間と共に上昇するので、その経過時間に基づいてアイドルアップ要求があるか否かを判定してもよい。
【００５３】
そして、エンジンの始動直後は触媒温度が低く、アイドルアップ要求があると判定されるので、コントローラ１００は、次にステップＳ５で、前記ステップＳ３での停車判定時にレンジがＤレンジであったか否かを判定する。
【００５４】
また、エンジンの始動直後のレンジはＰレンジであるから、前記ステップＳ５で、停車判定時にＤレンジではなかったと判定し、次に、ステップＳ６で、現在のレンジがＲレンジか否かを判定する。Ｒレンジではない、すなわちＰレンジと判定したとき、ステップＳ７で、図４に示すエンジン回転数制御装置１１０にアイドルアップするように信号を出力する。これにより、エンジン始動後、走行開始前のＰレンジの状態でアイドルアップが行われ、触媒装置の活性化が促進される。一方で、前記ステップＳ６でＲレンジであると判定されると、ステップＳ８で、エンジン回転数制御装置１１０にアイドルアップしないようにアイドルアップ禁止の信号を出力する。
【００５５】
次に、ステップＳ９で、前記ステップＳ４での停車判定時にレンジがＮレンジ（Ｐレンジも含む）であったか否かを判定し、エンジンの始動直後のレンジはＰレンジであるから、前記ステップＳ９でＹＥＳと判定する。
【００５６】
その後、ステップＳ１０で、レンジセンサ１０１の信号からＮ−Ｄ操作が行われたか否か、すなわち運転者によってＮレンジ（Ｐレンジ）からＤレンジにシフト操作が行われたか否かを判定し、Ｎ−Ｄ操作が行われたと判定するまでは、Ｐレンジでのアイドルアップを継続する。
【００５７】
ここで、Ｐレンジの状態でアイドルアップを実施する中、Ｎ−Ｄ操作が行われると、前記ステップＳ１０で、Ｎ−Ｄ操作が行われたと判定され、Ｄレンジの状態でアイドルアップを継続する。その際に、運転者によってブレーキペダルが踏み込まれているか、すなわちブレーキＯＮか否かを、ブレーキセンサ１０４の信号に基づいてステップＳ１１で判定し、ブレーキＯＮと判定したときは、ステップＳ１４で、後述のインターロック制御を実行する。一方で、前記ステップＳ１１で、ブレーキＯＮではないと判定したときは、運転者による制動意思がなくなったと考え、車両を発進させるため、ステップＳ１２で、第１クラッチ４０を締結すると共に、ステップＳ１３で、アイドルアップを禁止するようにエンジン回転数制御装置１１０に信号を出力する。
【００５８】
一方、一旦走行した後に停車した際に、触媒装置が未だ非活性状態であり、前記ステップＳ４でアイドルアップ要求があると判定された場合は、停車時はＤレンジであるため、前記ステップＳ５で、停車判定時Ｄレンジであったと判定され、ステップＳ１５で、ブレーキセンサ１０４の信号に基づいてブレーキＯＮか否かを判定し、前記ステップＳ１５で、ブレーキＯＮと判定したときは、ステップＳ１６で、後述のニュートラルアイドル制御を実行し、前記ステップＳ１５でブレーキＯＮではないと判定したときは、アイドルアップを禁止するようにエンジン回転数制御装置１１０に信号を出力する。
【００５９】
次に、図６を参照しながら、インターロック制御時の動作について説明する。
【００６０】
まず、コントローラ１００は、ステップＳ２１で、第２ブレーキ７０を締結すると共に、ステップＳ２２で、第１クラッチ４０を所定低減油圧で締結するように油圧制御回路９０に制御信号を出力する。これにより、変速機構５はインターロック状態となる。このインターロック状態でシフト操作せずにブレーキペダルが踏まれている間は、アイドルアップを継続する。なお、前記所定低減油圧とは、クラッチを確実に締結させる油圧であるが、正規油圧よりも低い油圧である。
【００６１】
そして、Ｄレンジのままブレーキペダルの踏み込みがなくなる（ブレーキＯＦＦ）と、ステップＳ２３で、Ｎレンジではないと判定し、ステップＳ２４で、ブレーキＯＦＦであると判定して、ステップＳ２５で、エンジン回転数制御装置１１０にアイドルアップを終了するように信号を出力する。これにより、Ｄレンジでのアイドルアップが終了される。
【００６２】
次に、ステップＳ２６で、第１クラッチ４０に供給される油圧を所定低減油圧から正規油圧に上昇させると共に、ステップＳ２７で、第２ブレーキ７０を解放するように油圧制御回路９０に制御信号を出力する。これにより、第１クラッチ４０及び第１ブレーキ６０が締結されると、変速機構５はインターロック状態が解除されて、自動変速機１は１速の状態となる。
【００６３】
さらに、ステップＳ２８で、第１クラッチ圧センサ９５の信号に基づいて、第１クラッチ４０に実際に供給されている油圧が正規油圧まで上昇したか否かを判定し、上昇完了と判定するまでは、ステップＳ２９で、運転者がアクセルペダルを踏み込むことによってアクセル踏込量が上昇しても、アクセルセンサ１０３からの信号に応じてエンジン回転数を上昇させないように、エンジン回転数制御装置１１０へ制御信号を出力する。なお、上記正規油圧とは、走行時に必要なトルクを伝達可能な締結油圧である。
【００６４】
第１クラッチ４０が正規油圧まで上昇すると、前記ステップＳ２８で、上昇完了と判定して、ステップＳ３０で、車速センサ１０２の信号に基づいて、車両が所定車速（例えば、時速３ｋｍ／ｈ）以上になったか否かを判定し、所定車速以上になったと判定すると、ステップＳ３１で、ニュートラルアイドル実施条件のフラグを設定（ＯＮ）して、図５のメインルーチンに戻る。
【００６５】
一方、前記インターロック状態で、運転者がＮレンジへのシフト操作を行うと、前記ステップＳ２３で、Ｎレンジであると判定され、ステップＳ３２で、第１クラッチ４０を解放すると共に、ステップＳ３３で、第２ブレーキ７０を解放するように油圧制御回路９０に制御信号を出力する。これにより、油圧制御回路９０のマニュアルバルブ９４によって両摩擦要素から油圧が同時に排出されて、変速機構５はインターロック状態が解除され、自動変速機１はＮレンジの状態となるが、アイドルアップを継続する。その後、図５のメインルーチンに戻る。
【００６６】
次に、図７を参照しながら、ニュートラルアイドル制御時の動作について説明する。
【００６７】
まず、ステップＳ４１で、フラグがＯＮか否かを判定するが、一旦走行して前記ステップＳ３３でフラグを設定しているため、前記ステップＳ４１で、フラグＯＮと判定する。次に、ステップＳ４２で、第２ブレーキ７０を締結すると共に、ステップＳ４３で、変速機構５をニュートラルアイドル状態、すなわち、第１クラッチ４０に供給される油圧を下げてスリップ状態にするように油圧制御回路９０に制御信号を出力する。
【００６８】
これにより、変速機構５は、特に問題が無ければ、アイドルアップを継続しながらニュートラルアイドル状態かつインターロック状態となるが、確認のために、ステップＳ４４で、実際に変速機構５はインターロックが完了しているか否かを判定して、完了していると判定したときに、ステップＳ４５で、エンジン回転数制御装置１１０にアイドルアップするように信号を出力する。
【００６９】
なお、このインターロック完了判定は、例えば、第２ブレーキ７０に供給されている油圧を検出する第２ブレーキ圧センサ（図示しない)を設けて、このセンサからの出力信号をコントローラ１００に入力して、第２ブレーキ７０に実際に供給されている油圧が正規油圧に達したときをインターロック成立として判定しても良い。
【００７０】
ここで、何らかの異常により、例えば第２ブレーキ７０が締結されない場合、前記ステップＳ４４で、インターロックが完了していないと判定され、第２ブレーキ７０が締結されてインターロックが完了するまでは、次の前記ステップＳ４５のアイドルアップを実施しない。これにより、確実にインターロック状態でアイドルアップを行うことができるため、インターロック不成立の状態でエンジンが高回転で回転し、大きなクリープ力によって運転者の意に反して車両が発進する、という事態が回避される。
【００７１】
次に、ステップＳ４６で、ブレーキセンサ１０４の信号からブレーキがＯＦＦか否か、すなわち運転者がブレーキペダルを離しているか否かを判定し、前記ステップＳ４６でブレーキＯＦＦと判定するまでは、変速機構５がニュートラルアイドル状態かつインターロック状態でアイドルアップが継続される。
【００７２】
そして、運転者がブレーキペダルを離して、前記ステップＳ４６で、ブレーキＯＦＦと判定すると、ステップＳ４７で、エンジン回転数制御装置１１０にアイドルアップを終了するように信号を出力し、ステップＳ４８で、第２ブレーキ７０を解放すると共に、ステップ４９で、第１クラッチ４０を締結するように油圧制御回路９０に制御信号を出力する。これにより、変速機構５はニュートラルアイドル状態及びインターロック状態が解除されて１速の状態となり、運転者のアクセルペダルの踏み込みに応じて発進することになる。
【００７３】
その後、ステップＳ５０で、ニュートラルアイドル実施条件のフラグを解除（ＯＦＦ）して、図５のメインルーチンに戻る。
【００７４】
なお、一旦走行後にＤレンジで停車する場合には、インターロック状態（入力軸４と出力ギヤ７を固定）ではなくニュートラルアイドル状態（出力ギヤ７のみを固定）でアイドルアップを行っているが、この場合には、第１クラッチ４０に供給される油圧を低減して締結状態からスリップ状態にする制御を行うため、油圧制御が比較的容易であり、かつ、ニュートラルアイドル状態（第１クラッチ４０の摩擦板間のスリップ摩擦によりロス発生）はインターロック状態（トルクコンバータ２内部の作動油の粘性によりロス発生）に比べてエンジンの負荷が小さくなるため、触媒装置をより早く活性化できる、すなわち、エンジン負荷が小さいほど、エンジンのピストンを押し下げる力が小さくて済むので、その分エンジンを触媒装置の活性化に有利な燃焼をさせることができるからである。
【００７５】
以上のようにして、エンジンの冷間始動時等において、アイドルアップ要求がある場合は、運転者がブレーキペダルを踏み込んで自動変速機１をＰレンジからＤレンジに切り換えた後も、ブレーキペダルが踏み込まれている間は、アイドルアップが継続して実施され、触媒装置の活性化が促進される。また、自動変速機１が走行可能な状態（１速状態）でアイドルアップを行なうことによるクリープ力の増大に対しては、自動変速機１の変速機構５がインターロックされることにより対処され、運転者の意に反した車両の発進が防止される。
【００７６】
さらに、油圧制御回路９０が、運転者によるレンジを走行レンジから非走行レンジにするシフト操作に伴うマニュアルバルブ９４の作動により、第１クラッチ４０と第２ブレーキ７０とが同時に排出される構成である場合にも、インターロック制御の際の第１クラッチ４０に供給される油圧を正規油圧より低い所定低減油圧として締結したことにより、第１クラッチ４０が第２ブレーキ７０より早く解放されるため、第２ブレーキ７０が解放されて第１クラッチ４０がトルク伝達可能な状態、すなわち、自動変速機が１速の状態になることがない。したがって、走行レンジから非走行レンジへの切り換えの瞬間に、乗員に違和感を与えるような前向きのショックが車両に発生するのを防止することができる。
【００７７】
次に、第１の実施形態に係るパワートレインシステムを適用した車両を運転操作した際の車両状態の変化について説明する。
【００７８】
図８は、エンジンの冷間始動直後にＮ−Ｄ操作後、再びＮレンジに戻した場合の車両の状態をタイムチャートに表したものである。
【００７９】
当初車両はＮレンジにあるため、変速機構５は第１ブレーキ６０のみが締結されており（Ｓ２）、ブレーキＯＮにより停車して、エンジンの冷間始動直後でアイドルアップ要求がＯＮであるため、エンジンはアイドルアップ回転数で回転している（Ｓ７）。なお、このとき、第１クラッチ４０が解放されているため、変速機構５の入力軸４は、トルクコンバータ２により連れ回りしてエンジン回転数とほぼ同じ速度で回転している。
【００８０】
このＮレンジでのアイドルアップ中に、運転者がＮ−Ｄ操作を行うと、アイドルアップを継続したままインターロック制御が実施され（Ｓ１４）、第２ブレーキ７０が締結されると共に、第１クラッチ４０が正規油圧よりも低い所定低減油圧で締結され（Ｓ２１、Ｓ２２）、変速機構５はインターロック状態となる。なお、この際に、第１クラッチ４０に供給されている油圧が上がるにつれて入力軸４の回転が減速する。
【００８１】
このインターロック状態で、運転者がＮレンジに戻すシフト操作を行うと、第１クラッチ４０及び第２ブレーキ７０は解放するように指示され（Ｓ３２、Ｓ３３）、マニュアルバルブ９４によって両摩擦要素から油圧が同時に排出開始されるが、それまで第１クラッチ４０は正規油圧よりも低い所定低減油圧で締結されていたため、第１クラッチ４０に供給されている油圧が第２ブレーキ７０に供給されている油圧よりも早く排出されて、第１クラッチ４０が先に解放される。
【００８２】
そのため、変速機構５は、一時的に第１クラッチ４０がトルクを伝達可能な状態（１速に似た状態）が生じることなく、アイドルアップを継続したままインターロック状態が解除される。なお、第１クラッチ４０が解放されてインターロックが解除されると、入力軸回転数が再び上昇する。
【００８３】
したがって、例えば、車庫から発進させようと一旦Ｄレンジにシフトさせたが、何らかの理由で発進を思い止まってＮレンジに戻したような場合にも、Ｄレンジで停車中に、変速機構５をインターロック状態にしてアイドルアップを行うことによって、触媒装置の活性化促進のために、Ｄレンジでのアイドルアップを、意図しない発進等を招くことなく、良好に行うことができる。
【００８４】
また、第１クラッチ４０と第２ブレーキ７０への油圧の供給が、油圧源から油圧制御回路９０中のマニュアルバルブ９４を介して行われ、走行レンジから非走行レンジへの切換時に、マニュアルバルブ９４によって両摩擦要素から油圧が同時に排出される構成の場合にも、再びＮレンジへ戻した際のショックを防止することができる。
【００８５】
図９は、エンジンの冷間始動直後にＮ−Ｄ操作後もしばらく停車してから発進する場合の車両の状態をタイムチャートに表したものである。
【００８６】
当初のＮレンジから、Ｎ−Ｄ操作後のＤレンジでのインターロック状態までは、図８の場合と同じであるため、説明を省略する。
【００８７】
Ｄレンジでのインターロック状態で、運転者がブレーキペダルから足を離すと、アイドルアップが終了して（Ｓ２５）、エンジン回転数が減速する。また、第２ブレーキ７０を解放する共に、第１クラッチ４０に供給する油圧を所定低減油圧から正規油圧に上げる（Ｓ２６、Ｓ２７）ように指示されるが、第１クラッチ４０に実際に供給されている油圧（以下、「実油圧」という。図９の矢印を参照。）は、指示されてすぐに正規油圧まで上昇せず、正規油圧になるまでにタイムラグがある。
【００８８】
このタイムラグの間は、運転者がアクセルペダルを踏み込んでも、第１クラッチ４０の実油圧が、走行時に必要なトルクを伝達可能な締結油圧である正規油圧に達するまでは、アクセル踏込量に応じてエンジン回転数は上昇しない（Ｓ２９）。なお、仮に、アクセル踏込量に応じてエンジン回転数が上昇するのを制限しない場合、図９の点線グラフ（矢印「上昇制限なし」を参照）のように、アクセル踏込量に応じてエンジン回転数は上昇する。
【００８９】
そして、第１クラッチ４０に供給されている油圧が正規油圧まで上昇完了すると、自動変速機１は１速に似た状態となり、運転者のアクセルペダルの踏み込みに応じて、車両が発進可能となる。その後、車両が所定車速以上になると、ニュートラルアイドル実施条件のフラグが設定される（Ｓ３１）。
【００９０】
したがって、例えば、車庫から発進する際のわずかなＤレンジでの停車時間にも、変速機構５を第１クラッチ４０を締結しながらインターロック状態にしてアイドルアップを行うことによって、触媒装置の活性化を促進することができる。また、インターロック状態で運転者がブレーキペダルから足を離した際に、アクセル踏込量によらずエンジン回転数が上昇しないように制御することによって、第１クラッチ４０に供給されている油圧が低い状態でエンジン出力トルクが増大したときに生じるおそれのある第１クラッチ４０でのスリップを防止することできるため、インターロック状態からの良好な発進性を確保できる。
【００９１】
（第２の実施形態）
本発明の第２の実施形態に係る車両のパワートレインシステムは、第１の実施形態に係る車両のパワートレインシステムと同様の構成を有するため、共通する構成に関する図１から図５及び図７の説明を省略する。
【００９２】
図１０は、エンジンの冷間始動直後にＮ−Ｄ操作後、Ｎレンジに戻した場合の車両の状態をタイムチャートに表したものであり、第１の実施形態の図８とは、Ｎレンジに戻した際の摩擦要素に供給される油圧の制御方法の点でのみ異なる。
【００９３】
第２の実施形態の場合、運転者がＮレンジからＤレンジにレンジ操作した際に、コントローラ１００は、第１クラッチ４０及び第２ブレーキ７０を共に正規油圧で締結するように油圧制御回路９０に制御信号を出力する。そして、運転者がＮレンジへのシフト操作を行うと、第１クラッチ４０及び第２ブレーキ７０を解放するため、各摩擦要素に供給される油圧を低減するように油圧制御回路９０に制御信号を出力するが、この油圧低減の際、第１クラッチ４０に供給される油圧の油圧低減速度（図１０の矢印ｃ）が第２ブレーキ７０に供給される油圧の油圧低減速度（図１０の矢印ｄ）よりも早くなるように制御している。
【００９４】
これによれば、実際に第１クラッチ４０に供給されている油圧が第２ブレーキ７０に供給されている油圧よりも早く抜けるため、第１の実施形態と同様の理由で、Ｎレンジへ戻した際のショックを防止することができる。
【００９５】
（第３の実施形態）
本発明の第３の実施形態に係る車両のパワートレインシステムの構成も、第１の実施形態とほとんど共通しており、図１から図５及び図７の説明は、第３の実施形態にも共通する。
【００９６】
図１１も、エンジンの冷間始動直後にＮ−Ｄ操作後、Ｎレンジに戻した場合の車両の状態をタイムチャートに表したものであり、第１の実施形態の図８とは、Ｎレンジに戻した際の摩擦要素に供給される油圧の制御方法の点でのみ異なる。
【００９７】
第３の実施形態の場合、運転者がＮレンジからＤレンジにレンジ操作した際に、コントローラ１００は、第１クラッチ４０及び第２ブレーキ７０を共に正規油圧で締結するように油圧制御回路９０に制御信号を出力する。そして、運転者がＮレンジへのシフト操作を行うと、第１クラッチ４０及び第２ブレーキ７０を解放するため、各摩擦要素に供給される油圧を低減するように油圧制御回路９０に制御信号を出力するが、この油圧低減の際、第１クラッチ４０を解放（図１１の矢印ｅ）してから所定時間経過後、第２ブレーキ７０を解放（図１１の矢印ｆ）するように制御している。
【００９８】
これによれば、実際に第１クラッチ４０に供給されている油圧が第２ブレーキ７０に供給されている油圧よりも早く抜けるため、第３の実施形態も第１の実施形態と同様の理由で、Ｎレンジへ戻した際のショックを防止することができる。
【００９９】
なお、本発明は例示された実施形態に限定されるものではなく、本発明の要旨を逸脱しない範囲において、種々の改良及び設計上の変更が可能であることは言うまでもない。
【産業上の利用可能性】
【０１００】
以上のように、本発明によれば、エンジンと変速機構との間に流体伝動装置が配設され、エンジンの排気通路に触媒装置が配設された車両のパワートレインシステムの制御方法及びパワートレインシステムにおいて、非走行レンジから走行レンジへの切換後もアイドルアップを継続して実行可能とすると共に、再び非走行レンジへ戻した際のショックを防止することができるので、この種の車両の製造産業分野において好適に利用される可能性がある。
【符号の説明】
【０１０１】
１        自動変速機
２        トルクコンバータ（流体伝動装置）
５        変速機構
４０      発進用摩擦要素（第１クラッチ）
７０      所定摩擦要素（第２ブレーキ）
１００    コントローラ
【図１】
2014062581.tif 000003
【図２】
2014062581.tif 000004
【図３】
2014062581.tif 000005
【図４】
2014062581.tif 000006
【図５】
2014062581.tif 000007
【図６】
2014062581.tif 000008
【図７】
2014062581.tif 000009
【図８】
2014062581.tif 000010
【図９】
2014062581.tif 000011
【図１０】
2014062581.tif 000012
【図１１】
2014062581.tif 000013